(57)【要約】    【課題】  子機に音声合成機能を搭載することなく、子機に保存された文字データを子機にて読上げることができる無線通信装置及び方法、並びにプログラムを提供することにある。    【解決手段】  無線通信装置１１０は、公衆回線１０２を収容する電話機能付きＦＡＸ１００と、ＦＡＸ１００と無線通信可能な子機１０１とから構成され、ＦＡＸ１００は、文字データを音声合成して音声信号を出力する機能を有する。ＦＡＸ１００は、子機１０１がＦＡＸ１００に送信した文字データに基づいて文字データの音声合成を行い、さらに、子機１０１は、ＦＡＸ１００から送信された音声信号に基づいて音声を出力する。【選択図】      図２
2005110136.tif 000002
【特許請求の範囲】
【請求項１】
公衆回線を収容する親機と、前記親機と無線通信可能な子機とから構成される無線通信装置において、
前記親機は、文字データを音声合成して音声信号を出力する音声合成手段と、前記出力された音声信号を前記子機に送信する送信手段とを備え、
前記子機は、文字データを記憶する記憶手段と、前記記憶された文字データを前記親機に送信する送信手段と、前記親機の音声合成手段に前記送信された文字データの音声合成を行うように要求する要求手段と、前記親機から送信された音声信号に基づいて音声を出力する音声出力手段とを備えることを特徴とする無線通信装置。
【請求項２】
前記所定の文字データは電話帳データであることを特徴とする請求項１記載の無線通信装置。
【請求項３】
前記所定の文字データは受信メールデータであることを特徴とする請求項１記載の無線通信装置。
【請求項４】
前記親機は、前記子機から送信された文字データを記憶する他の記憶手段を備えることを特徴とする請求項１乃至３のいずれか１項に記載の無線通信装置。
【請求項５】
前記他の記憶手段は、前記親機の設定により前記文字データの記憶を行うことを特徴とする請求項４記載の無線通信装置。
【請求項６】
公衆回線を収容する親機と、前記親機と無線通信可能な子機とから構成される無線通信装置の通信方法おいて、
前記親機により、前記送信された文字データを音声合成して音声信号を出力する音声合成ステップと、前記出力された音声信号を前記子機に送信する送信ステップとを実行し、
前記子機により、所定の文字データを記憶する記憶ステップと、前記記憶された文字データを前記親機に送信する送信ステップと、前記親機に音声合成ステップで前記送信された文字データを音声合成を行うように要求する要求ステップと、前記親機から送信された音声信号に基づいて音声を出力する音声出力ステップとを実行する無線通信装置の通信方法。
【請求項７】
公衆回線を収容する親機と、前記親機と無線通信可能な子機と構成される無線通信装置の無線通信方法をコンピュータに実行させる無線通信プログラムであって、
前記親機に対して、前記送信された文字データを音声合成して音声信号を出力する音声合成モジュールと、前記出力された音声信号を前記子機に送信する送信モジュールとを備え、
前記子機に対して、所定の文字データを記憶する記憶モジュールと、前記記憶された文字データを前記親機に送信する送信モジュールと、前記親機に音声合成モジュールで前記送信された文字データを音声合成を行うように要求する要求モジュールと、前記親機から送信された音声信号に基づいて音声を出力する音声出力モジュールとを備えることを特徴とする無線通信プログラム。
【発明の詳細な説明】
【技術分野】
【０００１】
本発明は、無線通信装置及び方法、並びにプログラムに関し、特に、公衆回線を介してメールを送受信する際にメールを読上げる音声合成機能を有する無線通信装置及び方法、並びにプログラムに関する。
【背景技術】
【０００２】
従来の公衆回線を収容する親機が音声合成機能を有し、子機からの要求により、予めメモリに記憶している文字データを音声信号に変換して子機に送出する通信装置が知られている（例えば、特許文献１参照）。
【０００３】
また、子機が音声合成機能を有し、受信した送信先電話番号に応じて電話帳内の名前データを読上げる通信装置が提案されている（例えば、特許文献２）。
【特許文献１】特開２００１−１９７５４０号公報
【特許文献２】特開平６−１６４７４１２号公報
【発明の開示】
【発明が解決しようとする課題】
【０００４】
しかしながら、特許文献１の親機は、その音声合成機能により音声信号を子機に転送することができるが、親機でのみ音声合成用の文字データを保持しているので、親機は、子機に保存されたメールデータや電話帳データを読上げることができなかった。
【０００５】
また、特許文献２の子機は、その音声合成機能により電話帳データの読上げ等を行うことができるが、音声合成機能付加のために回路規模が大きくなり、コストの増大を招いていた。
【０００６】
本発明の目的は、子機に音声合成機能を搭載することなく、子機に保存された文字データを子機にて読上げることができる無線通信装置及び方法、並びにプログラムを提供することにある。
【課題を解決するための手段】
【０００７】
上記目的を達成するために、請求項１記載の無線通信装置は、公衆回線を収容する親機と、前記親機と無線通信可能な子機とから構成される無線通信装置において、前記親機は、文字データを音声合成して音声信号を出力する音声合成手段と、前記出力された音声信号を前記子機に送信する送信手段とを備え、前記子機は、文字データを記憶する記憶手段と、前記記憶された文字データを前記親機に送信する送信手段と、前記親機の音声合成手段に前記送信された文字データの音声合成を行うように要求する要求手段と、前記親機から送信された音声信号に基づいて音声を出力する音声出力手段とを備えることを特徴とする。
【０００８】
請求項２記載の無線通信装置は、請求項１記載の無線通信装置において、前記所定の文字データは電話帳データであることを特徴とする。
【０００９】
請求項３記載の無線通信装置は、請求項１記載の無線通信装置において、前記所定の文字データは受信メールデータであることを特徴とする。
【００１０】
請求項４記載の無線通信装置は、請求項１乃至３のいずれか１項に記載の無線通信装置において、前記親機は、前記子機から送信された文字データを記憶する他の記憶手段を備えることを特徴とする。
【００１１】
請求項５記載の無線通信装置は、請求項４記載の無線通信装置において、前記他の記憶手段は、前記親機の設定により前記文字データの記憶を行うことを特徴とする。
【発明の効果】
【００１２】
以上詳細に説明したように、本発明によれば、子機が親機に送信した文字データに基づいて親機が文字データの音声合成を行い、さらに、子機は親機から送信された音声信号に基づいて音声を出力するので、子機に音声合成機能を搭載することなく、子機に保存された文字データを子機にて読上げることができる。
【発明を実施するための最良の形態】
【００１３】
以下、本発明の実施の形態に係る無線通信装置を図面を参照しながら詳述する。
【００１４】
本発明の実施の形態に係る無線通信装置は、互いに無線通信可能な親機と子機とから成る無線通信装置において、親機が電話機、電話機能付きＦＡＸ等から成るものを対象とする。本実施の形態は、電話機能付きＦＡＸを例にとって説明がなされる。
【００１５】
図１は、本発明の実施の形態に係る無線通信装置の概略構成を説明する図である。
【００１６】
本発明の実施の形態に係る無線通信装置１１０は、アナログ電話回線又はＩＳＤＮ等の公衆回線１０２を収容する親機としての無線通信可能な電話機能付きＦＡＸ１００と、電話機能付きＦＡＸ１００と無線通信可能な子機１０１とから構成される。電話機能付きＦＡＸ１００は、電話機能及びブラウザ機能を搭載し、文字データの音声合成機能の他に文字データ（文字メッセージ）を送受信できるメール機能を備えている。公衆回線１０２は、相手端末１０３をも収容している。また、公衆回線１０２には、ゲートウェイ（ＧＷ）１０４を介してインターネット１０５が接続されており、ゲートウェイ１０４は、公衆回線１０２とインターネット１０５間のデータの変換処理を行う。インターネット１０５では、プロバイダを介して所望のサーバにアクセスし情報を得ることができる。
【００１７】
図２は、図１における電話機能付きＦＡＸ１００の内部構成を示すブロック図である。
【００１８】
図２において、電話機能付きＦＡＸ１００は、主制御部２０１と、ＲＯＭ２０２と、ＲＡＭ２０３と、公衆回線１０２に無線通信で接続される通信処理部２０４と、ＤＳＰ（ディジタル信号処理プロセッサ）２０５と、アナログスイッチ部２０７と、オペレーション部２２４とを備え、これらはデータバス２２３を介して互いに接続されている。アナログスイッチ部２０７は、通信処理部２０４及びＤＳＰ２０５に夫々接続されており、また、アナログスイッチ部２０７には、音源部２０６、音声の入出力を行うハンドセット２０８、着信音や記憶した音声データの出力及びＦＡＸ通信時のモニタを行うスピーカ２０９、及び子機１０１と無線通信する無線部２１０が夫々接続されている。
【００１９】
オペレーション部２２４は、記録部２１１と、読取り部２１２と、原稿検出部２１３と、表示部２１４と、キー入力部２１５と、フック検出部２１６とを備え、これらはデータバス２３０を介して互いに接続されていると共に、このデータバス２３０はデータバス２２３に接続されている。
【００２０】
主制御部２０１は、データバス２２３，２３０を介して各構成要素に信号を出力し、この入力した信号に応じて各構成要素を制御する。即ち、主制御部２０１は、例えば、ＲＯＭ２０２に格納された呼処理プログラムに従って通話に伴う呼処理や各種サービス機能に伴う処理を実行する。サービス機能の一具体例として、主制御部２０１はユーザによってメール機能が起動されて文字メッセージが作成されると、その文字メッセージをテキストデータとしてＲＡＭ２０３に記憶させる。
【００２１】
通信処理部２０４は、公衆回線１０２を収容するためのインタフェースでありり、アナログ回線の場合、局交換機の電話回線（以後、加入者線と称す）に接続され、ダイオードによる全波整流回路により構成され、回線電圧の極性を一致させるための極性一致回路、回路局交換機の加入者線に接続され、局交換機からの呼出信号を検出するリンガー検出回路、オフフック操作が行われると回線ループを形成するとともに、局に対してダイヤルパルスを送出するフックスイッチ回路、２線−４線変換を行うためのトランス回路で構成されている。本発明の実施の形態においてはアナログ回線をもとに記載しているが、ＩＳＤＮ等のデジタル回線やＡＤＳＬ回線において構成されることも容易に考えられる。
【００２２】
ＤＳＰ２０５は、呼処理を含むメールの送受信の各処理を実行するデータモデム機能と、Ｇ３ＦＡＸによるファクシミリ送受信を行うファクシミリモデム機能と、モデムデータ（ナンバーディスプレイデータ）の解析を行うコーラＩＤ機能と、文字データより音声合成して音声信号を出力する音声合成機能とを備えており、これらの機能は、主制御部２０１の制御により実現される。
【００２３】
音声合成機能は、具体的には、主制御部２０１の制御により入力した文字データを音声合成してアナログ音声信号としてアナログスイッチ部２０７に出力する。すなわち、音声合成機能は、主制御部２０１の制御により入力した文字コードを５０音分の音声データに変換して再生する音声合成発声機能を備えている。５０音分の音声データはＲＯＭ２０２内に記憶されている。また、この音声データはＤＳＰ２０５の内部メモリ内に記憶されていてもよい。
【００２４】
ＲＯＭ２０２は、ＤＳＰ２０５によって実行されるデータモデム機能、ファクシミリ機能、コーラＩＤ機能、及び音声合成機能をＤＳＰ２０５に実現させるプログラムを格納している。ＲＯＭ２０２は、データの書込み消去が可能なＥ２ＰＲＯＭ又はフラッシュＲＯＭで構成してもよい。
【００２５】
ＲＡＭ２０３は、主制御部２０１が呼処理を含むメール送受信の各処理実行時に使用するメモリである。ここには、ＲＯＭ２０２と異なり、一時的なデータが記憶される。ＲＡＭ２０３は電池等でバックアップされ、作成した文字メッセージや受信した文字メッセージ、各種サービス機能の設定内容や電話帳に登録した内容を記憶する。また、ＲＡＭ２０３は、不揮発性のメモリとしてのＥ２ＰＲＯＭ等で構成してもよい。
【００２６】
音源部２０６は、保留音、１６和音の着信メロディーやＤＴ，ＢＴ,ＲＢＴ等のコールプログレストーンの音源データを内部に記憶しており、主制御部２０１の制御によりアナログ信号を出力する。またＤＴ，ＢＴ，ＲＢＴ等のコールプログレストーンを出力するための音源でもある。
【００２７】
アナログスイッチ部２０７は、主制御部２０１からの制御によりＤＳＰ２０５からの信号や音源部２０６、ハンドセット２０８、スピーカ２０９等のアナログ入出力信号の通信処理部２０４への入出力の切り替えを行う。
【００２８】
無線部２１０は、制御データ及び音声信号を変調して無線送信可能な形式に変換してアンテナに送ると共に、アンテナを介して無線受信した情報より復調されたデータを取り出し、制御データは主制御部２０１に出力し、アナログ信号はアナログスイッチ部２０７に出力する。
【００２９】
以下、オペレーション部２２４を構成する各構成要素を説明する。
【００３０】
記録部２１１は、感熱型若しくは熱転写型プリンタ、又はレーザービームプリンタ、インクジェットプリンタ等の周知の印字手段を備え、ＭＨ，ＭＲ，ＭＭＲ符号化されたデジタルデータを復号化し、この復号化したデータを印字データとして印字を行う。
【００３１】
読取部２１２は、ＣＣＤ又は密着型センサアレイ等の周知の原稿読取手段を備え、該読取部２１２は読み取ったアナログデータをデジタルデータに変換すると共に、この変換されたデジタルデータをＭＨ，ＭＲ，ＭＭＲ等の周知の符号化方法により符号化して出力する。
【００３２】
原稿検出部２１３は、読取部２１２上の送信原稿の有無を検出して、その結果を主制御部２０１に通知する。
【００３３】
表示部２１４は、インターネット上のサーバより受信したＨＴＭＬの情報を表示するとともに、時刻の表示や通信中の回線状態及びエラー等の状態の表示を行い、おもに液晶等で構成される。また、表示部２１４は、キー入力部２１５でキー入力された文字メッセージや受信した文字メッセージも表示する。さらには、電話機の各種サービス機能の設定内容も表示する。
【００３４】
キー入力部２１５は、ダイヤル番号やＵＲＬ等を０〜９及び＊、＃及び前記キーを利用しアルファベットや記号等を入力するためのダイヤルキー、ファクシミリの送受信を制御する送信、受信キー、回線のＯＮ/ＯＦＦを制御するオフフックキー、その他保留キー、や機能設定を行うためのセレクトキー等のキーから構成される。
【００３５】
メール送信時、文字メッセージを入力したり編集したりする文字入力手段として機能する。さらに、メール機能を起動して文字メッセージの送信処理、受信処理を行う場合もこのキー入力部２１５を用いる。また、メール機能により作成した文字メッセージや受信した文字メッセージを音声出力したり、設定したサービス機能の内容を音声出力したりする場合も、このキー入力部２１５の所定のキーを操作することにより行う。
【００３６】
上記表示部２１４及びキー入力部２１５は、具体的には、図３に示すようにオペレーション部２２４の盤面に組み込まれている。図３において、キー入力部２１５に属する各種キーは、具体的には、機能設定を行うセレクトキー４０１、保留キー４０３、ＦＡＸの送受信を制御する送信キー４０４及び受信キー４０５、回線のオン／オフを制御するオフフックキー４０６、並びにテンキー４０８を含む。図４における表示部２１４の表示形態の例を図４に示す。
【００３７】
フック検出部２１６は、特にハンドセット２０８のＯＮ／ＯＦＦを検出して回線ＯＮ／ＯＦＦを制御する。
【００３８】
主制御部２０１は、文字メッセージの送信操作が行われると、ＲＯＭ２０２に格納しているデータモデム制御のプログラムをロードしＤＳＰ２０５をデータモデムとして制御する。ＲＡＭ２０３に記憶された文字メッセージの中から指定された文字メッセージのデータを読出し、文字メッセージの送信処理を実行する。主制御部２０１はまた、作成した文字メッセージの音声出力操作を検出すると、ＲＯＭ２０２内の音声合成プログラムを起動し、ＤＳＰ２０５を音声合成機能に設定する。その後ＲＡＭ２０３内の所定の文字データをＤＳＰ２０５内の音声合成機能に出力して音声合成を行い、アナログスイッチ部２０７を介してスピーカ２０９や無線部２１０に対して音声出力する。
【００３９】
また、主制御部２０１は、メール受信時ＤＳＰ２０５をデータモデムとして制御することで文字メッセージを受信すると、そのデータをテキストデータとしてＲＡＭ２０３に記憶する。主制御部２０１は、親機において受信した文字メッセージの内容を確認する命令を受けると、該当する文字メッセージを表示部２１４に表示する。主制御部２０１はまた、受信した文字メッセージの音声出力命令を検出すると、先程と同様にその文字データを音声合成機能に設定されているＤＳＰ２０５に出力して音声合成を行い、アナログスイッチ部２０７を介してスピーカ２０９より音声出力する。
【００４０】
また、無線部２１０を介し、子機からのリモート操作により受信している文字メッセージの読上げ命令を受けると、ＤＳＰ２０５を制御するととともにアナログスイッチ部２０７を制御することでＤＳＰ２０５からの音声合成信号を無線部２１０に出力する。
【００４１】
図５は、図１における子機１０１の内部構成を示すブロック図である。
【００４２】
図５において、子機１０１は、主制御部３０１と、ＲＯＭ３０２と、ＲＡＭ３０３と、キー入力部３０４及び表示部３０５を有するオペレーション部３１１と、無線通信処理部３０６とを備え、これらは、データバス３１０を介して互いに接続されている。子機１０１は、さらに、無線通信処理部３０６に夫々接続された無線部３０７、マイク３０８、及びスピーカ３０９を備える。
【００４３】
主制御部３０１は、無線電話機１０１全体の制御を司る。ＲＯＭ３０２は、主制御部３０１の制御プログラムが格納されたＲＯＭ、本無線通信システムの呼出符号（システムＩＤ）、無線電話機のサブＩＤを記憶するＥＥＰＲＯＭや、親機からのメールを受信した時に文字データを格納したり、電話帳データを記憶するためのフラッシュＲＯＭで構成される。ＲＡＭ３０３は、主制御部３０１の処理で制御の為のワークエリアとなる。
【００４４】
キー入力部３０４は、ダイヤル番号等を入力するダイヤルキーや、外線キー、保留キー、スピーカキー、電話帳キー等の機能キーから構成される。表示部３０５は、着信の表示やキー入力部３０４より入力されるダイヤル番号や公衆回線の使用状況等を表示する。
【００４５】
上記キー入力部３０４及び表示部３０５は、具体的には、図６に示すようにオペレーション部３１１の盤面に組み込まれている。図６において、キー入力部３０４に属する各種キーは、具体的には、機能設定を行うセレクトキー６０１、保留キー６０３、ＦＡＸの送受信を制御する送信キー６０４及び受信キー６０５、回線のオン／オフを制御するオフフックキー６０６、並びにテンキー６０８を含む。図６における表示部３０５の表示形態の例を図７に示す。
【００４６】
無線通信処理部３０６は、モデム・コンパンダ、秘話・アンプ機能を有し、制御データ及び音声信号の送受信を可能とする。この無線通信処理部３０６からの変調信号を、後述する無線部３０７を介して親機に伝送すると共に、無線部３０７からの変調信号を復調し制御信号は主制御部３０１、音声信号はスピーカ３０９へと出力する。
【００４７】
無線部３０７は、電話機能付きＦＡＸ１００と通信するものであり、無線通信処理部３０６からの変調信号を無線送信可能な形式に変換してアンテナに送ると共に、アンテナより無線受信した信号より変調信号を取り出し無線通信処理部３０６に出力する。マイク３０８は、通話音声信号の入力を行い、スピーカ３０９は、音声信号の拡声出力及び着信音等を鳴動させる。
【００４８】
図８は、図２の電話機能付きＦＡＸ１００のメール読上げ要求受信処理を示すフローチャートである。
【００４９】
ここでいう文字データとは、子機１０１に登録されている電話帳の登録内容や子機１０１に記憶されているＥメールのテキストデータである。子機１０１に記憶されているＥメールとは、ＦＡＸ１００（親機）だけがＥメールアドレスを持つ場合、ＦＡＸ１００で受信したＥメールを子機１０１で読めるように子機１０１からの指示によりＦＡＸ１００から子機１０１へ転送したものであり、また、子機１０１も子機用のＥメールアドレスを持つ場合、ＦＡＸ１００で受信したＥメールをＦＡＸ１００経由で子機１０１へ転送したものである。また、子機１０１自身が携帯電話機となりうるものであり、子機１０１独自のＥメールアドレスを持つ場合は、子機１０１がＦＡＸ１００を介さずに独自にメールサーバーに接続して受信したＥメールである。
【００５０】
本処理では、本実施の形態に係る電話機能付きＦＡＸ１００（親機）で子機１０１が文字データを受信して、受信した文字データを音声合成する処理を行う。
【００５１】
図８において、主制御部２０１が子機１０１からデータバス２２３を介してメール読上げ要求信号を受信すると（ステップＳ１０１でＹＥＳ）、主制御部２０１はＤＳＰ２０５及びＲＡＭ２０３の空き状態を確認してメール読上げ要求を受付けるか否かを判別し（ステップＳ１０２）、内部リソースより子機１０１からのメール読上げ要求が受付けることができないときは、子機１０１に対して子機１０１からの文字データの読上げを禁止する旨の通知を送り、無線部２１０を制御して子機１０１との無線リンクを切断して（ステップＳ１１１）、本処理を終了する。
【００５２】
一方、ステップＳ１０２の判別の結果、メール読上げ要求を受付けることができるときは、無線を通じてのデータの受信を開始する（ステップＳ１０３）。このとき、主制御部２０１は無線部２１０を制御し無線部２１０からの制御データ中の文字データを抜き出し、ＲＡＭ２０３に記憶させる。
【００５３】
続くステップＳ１０４では、主制御部２０１は子機１０１からのデータ送信完了情報を無線部２１０より受信すると（ステップＳ１０４）、アナログスイッチ部２０７を制御し、音声パスを出力するための設定を行う（ステップＳ１０５）。該設定が終了するとＲＡＭ２０３に記憶した文字データ情報をＤＳＰ２０５に転送して音声合成処理を行うことで、子機１０１に音声合成出力を送信する（ステップＳ１０６）。主制御部２０１は子機１０１からの読出し完了確認を受信すると（ステップＳ１０７）、ＤＳＰ２０５の音声合成処理を停止するとともに、無線部２１０を制御して子機１０１との通信を切断する（ステップＳ１０８）。
【００５４】
続くステップＳ１０９では、子機１０１より文字データ削除要求が通知されたか否かを判別し、通知されていないときは、ＲＡＭ２０３に一時的に記憶されている文字データを登録し（ステップＳ１１０）、文字データ削除情報が通知されてときは、ＲＡＭ２０３に記憶されている文字データを全て削除する（ステップＳ１１２）。
【００５５】
図８の処理によれば、子機１０１からメール読上げ要求を受け付けたときに（ステップＳ１０２でＹＥＳ）、音声合成出力を行って子機１０１に音声合成出力を送信し（ステップＳ１０６）、子機１０１から文字データ削除要求通知がないときは（ステップＳ１０９でＮＯ）、ＲＡＭ２０３に一時的に記憶されている文字データを登録すると共に（ステップＳ１１０）、文字データ削除要求通知があるときは（ステップＳ１０９でＹＥＳ）、ＲＡＭ２０３に記憶されている文字データを全て削除する（ステップＳ１１２）。
【００５６】
本処理は、子機１０１からの要求に基づいて行うものとして記述したが、電話機能付きＦＡＸ１００でのデフォルトの設定により記憶及び消去を選択可能にすることも容易に考えられる。
【００５７】
図９は、図１における子機１０１からの文字データ読上げ要求送出処理を示すフローチャートである。
【００５８】
図９において、キー入力部３０４の機能キー６０１が押下されてメール読上げが選択されると（ステップＳ２０１でＹＥＳ）、ＲＡＭ３０３に記憶されている文字データ（受信メール）を表示部３０５に先頭データから表示を行って、ステップＳ２０２へ進む。ここでは図７に示すように、「多辺田です。お久しぶり。新しい連絡先は９９９９−８８８８−７７７７です。」の表示を行う。
【００５９】
同様に、キー入力部３０４の機能キー６０１が押下され、電話帳機能が選択されると、主制御部３０１は、ＲＡＭ３０３に記憶されている電話帳データを表示部３０５に先頭データから表示を行う。ここでは図６に示すように、名前（キヤノン）及び電話番号（００００１１１１２２２２）の表示を行う。
【００６０】
次いで、主制御部３０１は、上記表示処理と同期して、無線通信処理部３０６を制御し無線部３０７を介してＦＡＸ１００に対して通信要求を送出し、これを受けてＦＡＸ１００の主制御部２０１は無線部２１０を制御して子機１０１と無線リンクの接続を開始し、これにより、子機１０１の無線部３０７を介して無線通信処理部３０６がＦＡＸ１００との無線部２１０と無線リンクを確立した後、ＦＡＸ１００に対して文字データ読上げ要求を通知する（ステップＳ２０２）。
【００６１】
さらに、上記読上げ要求に対してＦＡＸ１００より読上げを拒絶する通知がされて来たか否かを判別し（ステップＳ２０３）、通知されて来たときは、主制御部３０１は、無線通信処理部３０６を制御してＦＡＸ１００との無線リンクを切断し（ステップＳ２１０）、本処理を終了する。
【００６２】
ステップＳ２０３の判別の結果、ＦＡＸ１００から読上げ要求に対し読上げ可能の応答を受信すると（ステップＳ２０３でＮＯ）、主制御部３０１は、ＲＡＭ３０３内の文字データを無線通信処理部３０６に転送し、無線フレームに組み込んでデータとしてＦＡＸ１００に送信して（ステップＳ２０４）、データ出力が完了すると（ステップＳ２０５でＹＥＳ）、主制御部３０１はＦＡＸ１００より出力される音声合成音をスピーカ３０９より出力するため音声パスを設定する（ステップＳ２０６）。
【００６３】
これにより、ＦＡＸ１００から送られてくる音声信号は、スピーカ３０９で再生され、ユーザーは、分が子機で読上げを指示した、子機に記憶されている電話帳の登録内容やＥメールが、音声合成により読上げられるのを聞くことが出来る。
【００６４】
ＦＡＸ１００にて音声合成出力が完了すると（ステップＳ２０７でＹＥＳ）、主制御部３０１はＦＡＸ１００に対し転送した文字データを切断時に記憶するか否かを判別する（ステップＳ２０８）。本設定は子機において機能キー６０１においてデフォルトで設定しておくことでもよいし、切断時に選択することも考えられる。
【００６５】
ステップＳ２０８の判別の結果、転送した文字データをＦＡＸ１００に記憶させるときは、無線通信処理部３０６を介してＦＡＸ１００に文字データ記憶要求を通知した後（ステップＳ２１１）、転送した文字データを削除するときは、無線通信処理部３０６を制御して文字データ削除要求をＦＡＸ１００に通知し（ステップＳ２０９）、無線リンクを切断処理して（ステップＳ２１０）、本処理を終了する。
【００６６】
図９の処理によれば、子機１０１において、文字データ読上げが選択されると（ステップＳ２０１でＹＥＳ）、文字データをＦＡＸ１００に出力し（ステップＳ２０４）、ＦＡＸ１００でなされる音声合成の結果生成された音声信号による音声合成出力が完了した(ステップＳ２０７でＹＥＳ)後、文字データを記憶するときは、ＦＡＸ１００に文字データ記憶要求を通知し(ステップＳ２１１)、文字データを記憶しないときは、ＦＡＸ１００に文字データ削除要求を通知する（ステップＳ２０９）。
【００６７】
本発明の実施の形態においては、小電力コードレスを用いたシステムを想定しているが、デジタルコードレスを用いたシステムとして構成することも容易に考えられる。
【００６８】
本発明は、上述した実施の形態の機能を実現するソフトウェアのプログラム（図８及び図９のフローチャート）をコンピュータ又はＣＰＵに供給し、そのコンピュータ又はＣＰＵが該供給されたプログラムを読出して実行することによって、達成することができる。
【００６９】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００７０】
上記プログラムの形態は、オブジェクトコード、インタプリタにより実行されるプログラムコード、ＯＳ（オペレーティングシステム）に供給されるスクリプトデータ等の形態から成ってもよい。
【００７１】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００７２】
この場合、格納媒体から読出されたプログラムコード自体が上述した各実施の形態の機能を実現すると共に、そのプログラムコードを記憶した記憶媒体は本発明を構成する。
【００７３】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００７４】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。  
【図面の簡単な説明】
【００７５】
【図１】本発明の実施の形態に係る無線通信装置の概略構成を説明する図である。
【図２】図１における電話機能付きＦＡＸ１００の内部構成を示すブロック図である。
【図３】図２におけるオペレーションパネル２２４の盤面構成を示す図である。
【図４】図３における表示部２１４の表示形態の例を示す図である。
【図５】図１における子機１０１の内部構成を示すブロック図である。
【図６】図５の子機１０１の盤面構成を示す図である。
【図７】図５における表示部３０５の表示形態の例を示す図である。
【図８】図２の電話機能付きＦＡＸ１００のメール読上げ要求受信処理を示すフローチャートである。
【図９】図１における子機１０１からの文字データ読上げ要求送出処理を示すフローチャートである。
【符号の説明】
【００７６】
２０１  主制御部
２０２  ＲＯＭ
２０３  ＲＡＭ
２０４  デ通信処理部
２０５  ＤＳＰ
２０６  音源部
２０７  アナログスイッチ部
２０８  ハンドセット
２０９  スピーカ
２１０  無線部
２１１  記録部
２１２  読み取り部
２１３  原稿検出部
２１４  表示部
２１５  キー入力部
２１６  フック検出部
２２３  データバス
【図１】
2005110136.tif 000003
【図２】
2005110136.tif 000004
【図３】
2005110136.tif 000005
【図４】
2005110136.tif 000006
【図５】
2005110136.tif 000007
【図６】
2005110136.tif 000008
【図７】
2005110136.tif 000009
【図８】
2005110136.tif 000010
【図９】
2005110136.tif 000011
【手続補正書】
【提出日】平成16年9月28日(2004.9.28)
【手続補正１】
【補正対象書類名】明細書
【補正対象項目名】０００３
【補正方法】変更
【補正の内容】
【０００３】
また、子機が音声合成機能を有し、受信した送信先電話番号に応じて電話帳内の名前データを読上げる通信装置が提案されている（例えば、特許文献２）。
【特許文献１】特開２００１−１９７５４０号公報
【特許文献２】特開平６−１６４７１２号公報
【手続補正２】
【補正対象書類名】明細書
【補正対象項目名】００４５
【補正方法】変更
【補正の内容】
【００４５】
上記キー入力部３０４及び表示部３０５は、具体的には、図６に示すようにオペレーション部３１１の盤面に組み込まれている。図６において、キー入力部３０４に属する各種キーは、具体的には、機能設定を行うセレクトキー６０１、保留キー６０３、発信キー６０４及び切断キー６０５、回線のオン／オフを制御するオフフックキー６０６、並びにテンキー６０８を含む。図６における表示部３０５の表示形態の例を図７に示す。